(57)【要約】【課題】本発明は、かごの外面のうちガイドレールの近傍箇所を容易に清掃することができ、かごの外面の清掃の作業効率を向上させることができるエレベータのかご清掃装置を提供する。【解決手段】ガイドレール２には、ブラシ支持機構１０が設けられている。ブラシ支持機構１０には、一対のブラシユニット１２，１３が設けられている。一対のブラシユニット１２，１３は、ガイドレール２のＴ字第１面部２ａの前面側へ向けて突出した状態で、ブラシ支持機構１０によって、ガイドレール２から支持されている。このときに、一対のブラシユニット１２，１３が、かごの外面のうちガイドレール２の近傍箇所に接触可能となっている。ブラシユニット１２，１３がかごの外面に接触することによって、かごの外面に付着した潤滑油や埃等が除去される。【選択図】図５
2009215043.tif 000002
【特許請求の範囲】
【請求項１】
かごの外面に接触することによって前記かごの外面を清掃する清掃体、及び
前記かごの昇降を案内するガイドレールに設けられ、前記清掃体が前記かごの外面のうち前記ガイドレールの近傍箇所に接触可能となるように、前記清掃体を前記ガイドレールから支持する清掃体支持機構
を備えたことを特徴とするエレベータのかご清掃装置。
【請求項２】
前記清掃体支持機構は、前記清掃体が前記かごの外面に接触可能となるように前記清掃体を前記ガイドレールから支持する清掃状態と、前記清掃体が前記かごの外面に非接触となるように前記清掃体を前記ガイドレールから支持する収納状態との一方から他方へ切換可能となっている
ことを特徴とする請求項１記載のエレベータのかご清掃装置。
【請求項３】
前記清掃体支持機構は、前記清掃状態のときに、前記ガイドレールの背面側から前記ガイドレールの側端近傍を通して前記ガイドレールの前面側へ向けて突出するように、前記清掃体を前記ガイドレールから支持する
ことを特徴とする請求項２記載のエレベータのかご清掃装置。
【請求項４】
前記清掃体支持機構は、前記清掃体の前記かごの外面に対する押し当て量を調整可能となっている
ことを特徴とする請求項１から請求項３のいずれか１項に記載のエレベータのかご清掃装置。
【発明の詳細な説明】
【技術分野】
【０００１】
この発明は、かごの外面の汚れを落とすためのエレベータのかご清掃装置に関する。
【背景技術】
【０００２】
従来のエレベータ設備の清掃装置では、乗場ドア及びかごドアの一方に棒状のアームの基端部がマグネット等によって吸着され、アームのブラシ部が乗場ドア及びかごドアの他方へ向けて突出するように配置される。このブラシ部は、かごの昇降に伴って、乗場ドア又はかごドアのガラス面に沿って摺動される。そして、このブラシ部がガラス面に沿って摺動されることによって、そのガラス面が清掃される（例えば、特許文献１参照）。
【０００３】
【特許文献１】特開２００６−２５６７５３号公報
【発明の開示】
【発明が解決しようとする課題】
【０００４】
ここで、一般的なエレベータにおいて、かごに設けられそのかごの昇降を案内するためのガイドシューには潤滑油が用いられる。この潤滑油は、かごの昇降に伴って飛散して、かごの外面のうちガイドレールの近傍箇所に付着しやすくなっている。また、かごの外面の潤滑油の付着箇所に綿埃等が貼り付いたりすることがある。
【０００５】
これらの汚れを除去するために、かごの外面のうちガイドレールの近傍箇所を清掃する必要が生じる。しかしながら、昇降路の内壁に固定されたガイドレールと、かごの外面のうちガイドレールに対向する箇所との間のスペースが狭くなっている。このため、そのスペースに作業員が入ることが困難であり、かごの外面のうちガイドレールの近傍箇所を清掃することは容易ではなく、清掃の作業効率が低下していた。
【０００６】
また、特許文献１に示すような清掃装置では、かごの外面を清掃するために、アームの吸着スペースを昇降路に確保する必要がある。しかしながら、かごの外面のうちガイドレールの近傍箇所を清掃する際には、ガイドレールや、そのガイドレールの周辺に配置された他のエレベータ機器が障害となってしまう。このため、アームを昇降路に吸着させることができず、かごの外面のうちガイドレールの近傍箇所を清掃することはできなかった。
【０００７】
この発明は、上記のような課題を解決するためになされたものであり、かごの外面のうちガイドレールの近傍箇所を容易に清掃することができ、かごの外面の清掃の作業効率を向上させることができるエレベータのかご清掃装置を得ることを目的とする。
【課題を解決するための手段】
【０００８】
この発明に係るエレベータのかご清掃装置は、かごの外面に接触することによってかごの外面を清掃する清掃体、及びかごの昇降を案内するガイドレールに設けられ、清掃体がかごの外面のうちガイドレールの近傍箇所に接触可能となるように、清掃体をガイドレールから支持する清掃体支持機構を備えたものである。
【発明の効果】
【０００９】
この発明のエレベータのかご清掃装置は、かごの外面のうちガイドレールの近傍箇所に接触可能となるように、清掃体が清掃体支持機構によってガイドレールから支持されるので、かごの昇降に伴って清掃体がかごの外面に接触した際に、その清掃体によってかごの外面が清掃されることにより、かごの外面のうちガイドレールの近傍箇所を容易に清掃することができ、かごの外面の清掃の作業効率を向上させることができる。
【発明を実施するための最良の形態】
【００１０】
以下、この発明を実施するための最良の形態について、図面を参照して説明する。
実施の形態１．
図１は、この発明の実施の形態１によるエレベータの昇降路を示す平面図である。
図１において、昇降路１内には、断面Ｔ字状の一対のガイドレール２，３が立てて設けられている。一対のガイドレール２，３は、昇降路１の内壁にレールブラケット（図示せず）によって固定されている。一対のガイドレール２，３は、それぞれＴ字第１面部２ａ，３ａ、及びＴ字第２面部２ｂ，３ｂを有している。
【００１１】
Ｔ字第１面部２ａ，３ａの背面（図１の左右方向外側の面）は、昇降路１の内壁に対向している。Ｔ字第１面部２ａ，３ａは、昇降路１の内壁の壁面から間隔をおいて配置されている。Ｔ字第２面部２ｂ，３ｂは、Ｔ字第１面部２ａ，３ａの前面（図１の左右方向内側の面）における幅方向の中央箇所から前方へ向けて突出するように配置されている。
【００１２】
昇降路１内における一対のガイドレール２，３同士の間には、かご枠４及びかご５が設けられている。かご枠４は、四方枠であり、上梁６、下梁（図示せず）、及び一対の縦柱７，８を有している。かご枠４の上梁６には、メインロープ（図示せず）が接続されている。かご５は、かご枠４の下梁に固定されている。即ち、メインロープとかご５との間にかご枠４が介在されている。
【００１３】
また、かご５は、昇降路１内に設けられたモータ（図示せず）の駆動力によって、昇降路１内を昇降される。さらに、かご５は、正面部５ａ、第１側面部５ｂ、背面部５ｃ、第２側面部５ｄ、上面部５ｅ及び下面部（図示せず）を有している。かご枠４の一対の縦柱７，８は、それぞれかご５の第１側面部５ｂ、第２側面部５ｄに配置されている。
【００１４】
かご枠４における一対の縦柱７，８と上梁６及び下梁とのそれぞれの接続箇所（即ち四方枠の四隅）には、断面コ字状のガイドシュー９が取り付けられている。ガイドシュー９は、Ｔ字第２面部２ｂ，３ｂの先端箇所に嵌るように配置されている。また、ガイドシュー９は、一対のガイドレール２，３のＴ字第２面部２ｂ，３ｂに沿って摺動可能となっている。つまり、ガイドシュー９が一対のガイドレール２，３のＴ字第２面部２ｂ，３ｂに沿って摺動されることによって、かご４の昇降が案内される。
【００１５】
ここで、ガイドレール２，３には、清掃体支持機構としてのブラシ支持機構１０，１１がそれぞれ設けられている。ブラシ支持機構１０には、清掃体としての一対のブラシユニット（清掃ブラシ）１２，１３が設けられている。ブラシ支持機構１１には、清掃体としての一対のブラシユニット１４，１５が設けられている。
【００１６】
図２は、図１のブラシ支持機構１０及びブラシユニット１２を拡大して示す側面図である。図３は、図１のブラシ支持機構１０及び一対のブラシユニット１２，１３を拡大して示す平面図である。なお、図２，３では、収納状態のときのブラシ支持機構１０を示す。図２，３において、ブラシ支持機構１０は、例えば昇降路１の最下の乗場階の上方に配置されている。
【００１７】
また、ブラシ支持機構１０は、固定板１６、複数のブラケット１７、複数の連結部材１８、複数の止めフック１９及び複数のピン２０を有している。固定板１６は、ガイドレール２のＴ字第１面部２ａの背面に接合されている。複数のブラケット１７は、それぞれ固定板１６の上端部及び下端部に配置されている。
【００１８】
固定板１６及びブラケット１７は、ガイドレール２のＴ字第１面部２ａの背面側及び前面側の両側からＴ字第１面部２ａを挟み込むように、ボルト２２及びナット２３によって互いに締結されている。つまり、固定板１６は、ボルト２２及びナット２３によりブラケット１７と締結されることによって、ガイドレール２に取り付けられている。
【００１９】
また、ボルト２２及びナット２３による固定板１６及びブラケット１７の締結を解除することによって、ブラシ支持機構１０は、ガイドレール２に着脱自在となっている。なお、図４は、図２の固定板１６の取付状態を具体的に示す平面図である。
【００２０】
ブラシユニット１２は、平板部１２ａ、ブラシ部１２ｂ及び接続部１２ｃを有している。ブラシ部１２ｂは、平板部１２ａの一方の面（図３の上面）に配置され、かつ平板部１２ａの両端（図３の上端及び下端）に配置されている。
【００２１】
接続部１２ｃは、平板部１２ａの他方の面に設けられている。また、接続部１２ｃは、平板部１２ａの幅方向の中央箇所に、長さ方向（図２の上下方向）に沿って配置されている。さらに、接続部１２ｃの長さ方向の中央箇所には、係合溝１２ｄが設けられている。係合溝１２ｄは、接続部１２ｃの長さ方向に沿って配置されている。
【００２２】
複数の連結部材１８のそれぞれの一端部は、固定板１６の一側面部又は他側面部にピン２０を介して取り付けられている。連結部材１８は、ピン２０を中心に固定板１６に対して回動可能となっている。複数の連結部材１８のそれぞれの他端部は、ブラシユニット１２の接続部１２ｃにピン２０を介して取り付けられている。即ち、固定板１６及びブラシユニット１２は、複数の連結部材１８によって互いに連結されている。また、複数の連結部材１８は、ピン２０を中心に、ブラシユニット１２の接続部１２ｃに対して回動可能となっている。
【００２３】
止めフック１９の形状は、平板状である。また、止めフック１９の一端部（図２の右端部）には、係合部（フック部）１９ａが設けられている。さらに、止めフック１９の他端部には、調整用長孔１９ｂが止めフック１９の長さ方向に沿って設けられている。また、止めフック１９の長さ方向の中間部には、取付孔１９ｃが設けられている。
【００２４】
さらに、取付孔１９ｃを通してボルト２４が固定板１６の側面部に螺入されることによって、止めフック１９は、固定板１６に取り付けられている。さらに、止めフック１９の係合部１９ａは、係合溝１２ｄに挿入されている。この止めフック１９によって、連結部材１８の回動が規制されている。
【００２５】
ここで、先の図１〜３において、ブラシ支持機構１０は、ブラシユニット１２を第１側面部５ｂに非接触（接触不可）とさせるための収納状態となっている。このときに、ブラシユニット１２は、ガイドレール２のＴ字第１面部２ａに隣接するように（引き寄せられるように）配置されており、第１側面部５ｂに非接触となっている。即ち、ブラシユニット１２は、第１側面部５ｂに非接触となる非接触位置で、ブラシ支持機構１０によって、ガイドレール２から支持されている。
【００２６】
次に、ブラシ支持機構１０の清掃状態について説明する。先の図２において、止めフック１９が固定板１６及びブラシユニット１２から取り外されて、先の図２の矢示Ａの方向へ向けて複数の連結部材１８が回動される。そして、連結部材１８が回動されたことに伴って、一対のブラシユニット１２が非接触位置から、ガイドレール２のＴ字第１面部２ａの前面側へ向けて突出するように変位される。このときに、ブラシ支持機構１０は、ブラシユニット１２を第１側面部５ｂに接触可能とさせるための清掃状態となっている。
【００２７】
図５は、図１のブラシ支持機構１０の清掃状態を拡大して示す側面図である。図６は、図１のブラシ支持機構１０の清掃状態を拡大して示す平面図である。図５，６において、ブラシ支持機構１０の複数の連結部材１８は、Ｔ字第１面部２ａの背面側からその側端近傍（図６のＴ字第１面部２ａの左端及び右端）を通して前面側へ突出するように配置されている。
【００２８】
ブラシユニット１２は、複数の連結部材１８によって、Ｔ字第１面部２ａからガイドレール２のＴ字第１面部２ａの前面側へ向けて突出するように配置されている。このときに、ブラシユニット１２は、第１側面部５ｂに接触可能となっており、接触位置に配置されている。つまり、ブラシユニット１２は、ブラシ支持機構１０によって、接触位置でガイドレール２から支持されている。
【００２９】
従って、ブラシ支持機構１０は、複数の連結部材１８が回動されることによって、収納状態と清掃状態との一方から他方へ切換可能となっている。また、ブラシユニット１２は、ブラシ支持機構１０によって、接触位置と非接触位置との一方から他方へ変位される。
【００３０】
ここで、止めフック１９は、調整用長孔１９ｂを通してボルト２４が固定板１６の側面部に螺入されることによって、固定板１６に取り付けられている。この止めフック１９によって、ブラシユニット１２が接触位置で保持されている。また、止めフック１９の調整用長孔１９ｂにおけるボルト２４の挿入位置に応じて、ブラシ部１２ｂのガイドレール２のＴ字第１面部２ａからの突出寸法が変化する。即ち、止めフック１９によって、ブラシユニット１２のかご５の第１側面部５ｂに対する押し当て量が調整可能となっている。
【００３１】
つまり、ブラシ支持機構１０は、ガイドレール２からかご５の第１側面部５ｂへ向けたブラシユニット１２の突出寸法を調整可能となっている。なお、ブラシ支持機構１１の構成は、ブラシ支持機構１０の構成と同様である。また、ブラシユニット１３〜１５の構成は、ブラシユニット１２の構成と同様である。さらに、ブラシユニット１３〜１５は、ブラシユニット１２と同様に、止めフック１９によって接触位置又は非接触位置で保持される。
【００３２】
図７は、ブラシ支持機構１０，１１が清掃状態のときの図１の昇降路１を示す平面図である。図７において、複数のブラシユニット１２〜１５のそれぞれが、接触位置に配置される。これにより、複数のブラシユニット１２〜１５のそれぞれが、かご５の第１側面部５ｂ又は第２側面部５ｄのうちガイドレール２，３の近傍箇所（縦柱７，８の側部に隣接する箇所）に接触可能な状態となる。
【００３３】
この状態のときに、かご５が上昇又は下降されると、ブラシユニット１２〜１５が第１側面部５ｂ又は第２側面部５ｄに接触する。そして、ブラシユニット１２〜１５によって、かご５の第１側面部５ｂ又は第２側面部５ｄに付着した潤滑油や埃等の汚れが除去される。
【００３４】
次に、複数のブラシユニット１２〜１５を用いたかご５の清掃作業の一例について説明する。エレベータの保守点検の際に、点検作業員によってブラシ支持機構１０，１１が収納状態から清掃状態に切り換えられる。そして、かご５が保守運転（手動運転）により、ブラシ支持機構１０，１１の取付箇所を中心にかご５が往復されることによって、かご５の第１側面部５ｂ及び第２側面部５ｄが清掃される。その後、エレベータの保守点検の終了に伴って、点検作業員によって、ブラシ支持機構１０，１１が清掃状態から収納状態へ切り換えられる。
【００３５】
上記のようなエレベータのかご清掃装置では、かご５の外面のうちガイドレール２，３の近傍箇所に接触可能となる接触位置で、ブラシユニット１２〜１５がブラシ支持機構１０，１１によってガイドレール２，３から支持されている。この構成により、かご５の昇降に伴ってブラシユニット１２〜１５がかご５の第１及び第２側面部５ｂ，５ｄと接触した際に、そのブラシユニット１２〜１５によってかご５の第１及び第２側面部５ｂ，５ｄが清掃される。その結果、かご５の第１及び第２側面部５ｂ，５ｄのうちガイドレール２，３の近傍箇所を容易に清掃することができ、かご５の第１及び第２側面部５ｂ，５ｄの清掃の作業効率を向上させることができる。
【００３６】
また、ブラシ支持機構１０，１１が清掃状態と収納状態との一方から他方へ切換可能となっている。この構成により、かご５が通常運転中にブラシ支持機構１０，１１が収納状態となっていれば、非接触位置に配置されたブラシユニット１２〜１５がかご５の第１及び第２側面部５ｂ，５ｄに接触しない。これによって、ブラシユニット１２〜１５がかご５の第１及び第２側面部５ｂ，５ｄに接触しながら摺れることに伴って生じる作動音（異音）の発生を防ぐことができ、通常運転中におけるかご５の静音性を維持することができる。
【００３７】
さらに、ブラシ支持機構１０，１１が清掃状態ときに、ガイドレール２，３の背面側からガイドレール２の側端近傍を通してガイドレール２，３の前面側へ向けて突出するように、ブラシユニット１２〜１５が接触位置で支持される。この構成により、ブラシユニット１２〜１５がかご５の昇降を阻害せずに、かご５の第１及び第２側面部５ｂ，５ｄの清掃作業を円滑に行うことができる。
【００３８】
さらに、ブラシ支持機構１０，１１がブラシユニット１２のかご５の第１側面部５ｂ又は第２側面部５ｄに対する押し当て量を調整可能となっている。この構成により、ブラシユニット１２〜１５の押し当て量を適宜調整することによって、ブラシユニット１２〜１５がかご５の第１及び第２側面部５ｂ，５ｄと接触した際に、ブラシユニット１２〜１５に加わる過度の接触圧力を低減させることができる。その結果、過度の接触圧力が加わったことに伴うブラシユニット１２〜１５の異常磨耗や変形を抑えることができる。
【００３９】
ここで、一般的な展望用エレベータでは、かごの外面がアクリルやガラス等の光透過性の部材によって形成されており、かごの意匠性の低下を抑えるために清掃頻度が比較的高くなっている。そこで、上記のようなエレベータのかご清掃装置を展望用エレベータに用いることによって、かごの外面の清掃の作業効率を、より効果的に向上させることができる。
【００４０】
なお、実施の形態１では、ブラシユニット１２〜１５を清掃体として用いたが、例えばゴム、スポンジ又は布等を清掃体として用いてもよい。
【００４１】
また、実施の形態１では、ブラシユニット１２における平板部１２ａの両端にのみブラシ部１２ｂを配置したが、ブラシ部１２ｂの位置は、この例に限るものではなく、適宜決定してよい。例えば、平板部１２ａの一方の面の全体にブラシ部１２ｂを配置してもよい。
【図面の簡単な説明】
【００４２】
【図１】この発明の実施の形態１によるエレベータの昇降路を示す平面図である。
【図２】図１のブラシ支持機構及びブラシユニットを拡大して示す側面図である。
【図３】図１のブラシ支持機構及び一対のブラシユニットを拡大して示す平面図である。
【図４】図２の固定板の取付状態を具体的に示す平面図である。
【図５】図１のブラシ支持機構の清掃状態を拡大して示す側面図である。
【図６】図１のブラシ支持機構の清掃状態を拡大して示す平面図である。
【図７】ブラシ支持機構が清掃状態のときの図１の昇降路を示す平面図である。
【符号の説明】
【００４３】
１  昇降路、２，３  ガイドレール、４  かご枠、７，８  縦柱、１０，１１  ブラシ支持機構（清掃体支持機構）、１２〜１５  ブラシユニット（清掃体）。
【図１】
2009215043.tif 000003
【図２】
2009215043.tif 000004
【図３】
2009215043.tif 000005
【図４】
2009215043.tif 000006
【図５】
2009215043.tif 000007
【図６】
2009215043.tif 000008
【図７】
2009215043.tif 000009